(57)【要約】      （修正有）【課題】比較的筋力が弱い高齢者及び女性等の筋力を、無理なく鍛えることができるエクササイズ椅子を提供する。【解決手段】電気式コントローラー１２と、モーターと、背もたれ部２と、座部６と、肘掛部１０と、を有し、電気式コントローラー１２からの入力に伴った前記モーターの駆動により、背もたれ部２が周期的に前後に傾斜し、座部６が周期的に左右に傾斜、又は、周期的に回転し、肘掛部１０が周期的に外側及び内側に開閉する。【選択図】図１
2014117422.tif 000002
【特許請求の範囲】
【請求項１】
電気式コントローラーと、モーターと、背もたれ部と、座部と、肘掛部と、を有するエクササイズ椅子であって、
前記電気式コントローラーからの入力に伴った前記モーターの駆動により、
前記背もたれ部が周期的に前後に傾斜し、
前記座部が周期的に左右に傾斜、又は、回転し、
前記肘掛部が周期的に外側及び内側に開閉すること、
を特徴とするエクササイズ椅子。
【請求項２】
前記電気式コントローラーからの入力により、
前記背もたれ部、前記座部、及び前記肘掛部の駆動速度及び／又は駆動周期を制御可能であること、
を特徴とする請求項１に記載のエクササイズ椅子。
【請求項３】
前記背もたれ部が４５°／１０秒〜４５°／１分の速度で周期的に前後に傾斜し、
前記座部が１０°／５秒〜２０°／２０秒の速度で周期的に左右に傾斜、又は、１２０°／５秒〜１２０°／２０秒の速度で周期的に回転し、
前記肘掛部が４５°／５秒〜４５°／２０秒の速度で周期的に外側及び内側に開閉すること、
を特徴とする請求項１又は２に記載のエクササイズ椅子。
【発明の詳細な説明】
【技術分野】
【０００１】
本発明は椅子に関し、より具体的には、例えば、比較的筋力が弱い高齢者及び女性等の筋力を、無理なく鍛えることができるエクササイズ椅子に関する。
【背景技術】
【０００２】
近年の健康志向の高まりから、種々の筋力トレーニング器具が提案されているが、そのほとんどが体に高負荷を与えるものである。ここで、高齢者や女性など比較的筋力の弱い人に関しては、筋肉に高い負荷をかけたトレーニングが必要となるケースはあまりなく、比較的低い負荷によるトレーニングで十分である。また、日常的にトレーニングをすることが望ましいため、家庭や介護施設等で、安全かつ簡単に使用できる筋力トレーニング器具が求められている。
【０００３】
特許文献１（特開平１１−１１３６６４号公報）では、通常の椅子として使用しながら筋力トレーニングを行うことを目的とし、腰の捻転運動を可能とするため、座部と独立して回転するアームレスト部を連設した椅子が提案されている。
【０００４】
また、特許文献２（特開２００５−３３４６０２号公報）では、高齢者やリハビリ訓練者等が家庭や施設で筋力トレーニングを行うこと目的とし、上肢、下肢、及び体幹の筋力トレーニングを行うため、椅子にゴムチューブ、ゴムバンドを取り付けた筋力トレーニング椅子が開示されている。
【０００５】
更に、特許文献３（特開２００１−３２７６２６号公報）では、臀部から腰に連結する筋肉の強化を図ることを目的とした腰痛防止用の保健器具として、また、バランス感覚や反射神経を鍛練する運動器具として、座部を上下に波打揺動させる手段と、座部を左右に往復回転させる手段とからなる電動椅子が提案されている。
【先行技術文献】
【特許文献】
【０００６】
【特許文献１】特開平１１−１１３６６４号公報
【特許文献２】特開２００５−３３４６０２号公報
【特許文献３】特開２００１−３２７６２６号公報
【発明の概要】
【発明が解決しようとする課題】
【０００７】
しかし、特許文献１〜３に開示されているトレーニング器具を用いた場合でも、高齢者や女性等にとっては付加が大きすぎる場合がある。加えて、日常的にトレーニングを行うためには、無意識にトレーニングが完遂できることが望ましい。
【０００８】
以上のような従来技術における問題点に鑑み、本発明の目的は、例えば、比較的筋力が弱い高齢者及び女性等の筋力を、無理なく鍛えることができるエクササイズ椅子を提供することにある。
【課題を解決するための手段】
【０００９】
本発明者は上記目的を達成すべく、着座姿勢の変化に伴う筋肉への負荷について鋭意研究を重ねた結果、高齢者や女性等の筋力を無理なく向上させるためには、椅子の背もたれ部等をゆっくりと周期的に傾斜等させることが極めて有効であることを見出し、本発明に到達した。
【００１０】
即ち、本発明は、電気式コントローラーと、モーターと、背もたれ部と、座部と、肘掛部と、を有するエクササイズ椅子であって、
前記電気式コントローラーからの入力に伴った前記モーターの駆動により、
前記背もたれ部が周期的に前後に傾斜し、
前記座部が周期的に左右に傾斜、又は、回転し、
前記肘掛部が周期的に外側及び内側に開閉すること、
を特徴とするエクササイズ椅子を提供する。
【００１１】
本発明のエクササイズ椅子においては、前記電気式コントローラーからの入力により、前記背もたれ部、前記座部、及び前記肘掛部の駆動速度及び／又は駆動周期を制御可能であることが好ましい。
【００１２】
また、前記背もたれ部が４５°／１０秒〜４５°／１分の速度で周期的に前後に傾斜し、
前記座部が１０°／５秒〜２０°／２０秒の速度で周期的に左右に傾斜、又は、１２０°／５秒〜１２０°／２０秒の速度で周期的に回転し、
前記肘掛部が４５°／５秒〜４５°／２０秒の速度で周期的に外側及び内側に開閉することが好ましい。
【発明の効果】
【００１３】
本発明によれば、例えば、比較的筋力が弱い高齢者及び女性等の筋力を、ゆったり椅子に座っている状態で何も操作することなく、無理なく鍛えることができるエクササイズ椅子を提供することができる。
【図面の簡単な説明】
【００１４】
【図１】本発明のエクササイズ椅子の一実施形態の概略斜視図である。
【図２】本発明のエクササイズ椅子の一実施形態の概略側面図である。
【図３】本発明のエクササイズ椅子の駆動周期に関する概念図である。
【発明を実施するための形態】
【００１５】
以下、図面を参照しながら本発明のエクササイズ椅子の代表的な実施形態について詳細に説明するが、本発明はこれらのみに限定されるものではない。なお、以下の説明では、同一または相当部分には同一符号を付し、重複する説明は省略する場合がある。また、図面は、本発明を概念的に説明するためのものであるから、表された各構成要素の寸法やそれらの比は実際のものとは異なる場合もある。
【００１６】
図１は本発明のエクササイズ椅子の一実施形態の概略斜視図である。また、図２は本発明のエクササイズ椅子の一実施形態の概略側面図である。エクササイズ椅子１は、背もたれ部２、背もたれ取付部４（例えば、シャフト状の背もたれ取付部）、座部６、固定台座８、肘掛部１０、コントローラー操作部１２、脚１４、及びボックス１６を有している。
【００１７】
背もたれ部２は背もたれ取付部４と一体に連結されており、背もたれ取付部４は固定台座８と一体に連結されている。また、座部６は背もたれ取付部４と一体に連結されており、肘掛部１０は固定台座８の側面に一体に連結されている。
【００１８】
背もたれ取付部４、座部６、及び肘掛部１０を駆動させるための制御系は、コントローラー操作部１２とコントローラー本体から構成される。コントローラー操作部１２は肘掛部１０の先端に担持され、コントローラー本体はボックス１６中に収納されている。また、ボックス１６には、モーター及びギア等の、エクササイズ椅子１の各部位を駆動させるための機器も収納されている。
【００１９】
≪背もたれ部の傾斜≫
ボックス１６中に収納されているモーター及びギア等により、背もたれ取付部４は前後に周期的に駆動することができる。ここで、背もたれ取付部４の前後可動角度は前方２０°〜後方４５°の範囲で設定することができ、腹筋、腹直筋、及び外腹斜筋等の腹部周囲の筋肉、及び体幹を効果的に鍛えることができる。
【００２０】
また、背もたれ取付部４の可動速度は、コントローラー操作部１２への入力により、４５°／１０秒〜４５°／１分の範囲で任意に設定することができる。４５°／１０秒〜４５°／１分の可動速度で背もたれ取付部４が周期的に前後に傾斜することで、着座中に体のバランスが崩れ、当該バランスを保つために筋力を発揮することで、結果として筋力が向上する。
【００２１】
なお、４５°／１０秒〜４５°／１分の可動速度における背もたれ取付部４の動きは、ゆっくりした筋力の発揮を導くように設定されている。当該筋力の発揮は、太極拳などに見られる健康法としての体操と同じく、ゆっくりした動きの中で体のバランスをとる体本来の性質を利用したものであり、椅子に着座したまま、無理なく効果的に筋肉を鍛えることができる。
【００２２】
図３は本発明のエクササイズ椅子の駆動周期に関する概念図である。ボックス１６中に収納されているモーターを駆動させる時間を変化させることにより、背もたれ取付部４の駆動周期を適宜設定することができる。なお、図３においては、信号１が入力されている間はモーターが駆動し、信号０が入力されている間はモーターが停止することになる。つまり、（ａ）、（ｂ）、（ｃ）の順番で、背もたれ取付部４の駆動周期が短くなる。また、モーターが駆動している間でも、当該モーターの回転速度を可変することができる。
【００２３】
≪座部の傾斜及び回転≫
ボックス１６中に収納されているモーター及びギア等により、座部６は左右に周期的に傾斜することができる。ここで、座部６の左右の傾斜角度は１°〜２０°の範囲で設定することができ、腹筋、腹直筋、及び外腹斜筋等の腹部周囲の筋肉、及び体幹を効果的に鍛えることができる。
【００２４】
また、座部６の傾斜速度は、コントローラー操作部１２への入力により、１０°／５秒〜２０°／２０秒の範囲で任意に設定することができる。１０°／５秒〜２０°／２０秒の傾斜速度で座部６が周期的に前後に傾斜することで、着座中に体のバランスが崩れ、当該バランスを保つために筋力を発揮することで、結果として筋力が向上する。
【００２５】
なお、１０°／５秒〜２０°／２０秒の傾斜速度における座部６の動きは、ゆっくりした筋力の発揮を導くように設定されている。当該筋力の発揮は、太極拳などに見られる健康法としての体操と同じく、ゆっくりした動きの中で体のバランスをとる体本来の性質を利用したものであり、椅子に着座したまま、無理なく効果的に筋肉を鍛えることができる。
【００２６】
加えて、ボックス１６中に収納されているモーター及びギア等により、座部６は回転することができる。ここで、座部６の回転角度は正面から左右に６０°の範囲で設定することができ、腹筋、腹直筋、及び外腹斜筋等の腹部周囲の筋肉、及び体幹を効果的に鍛えることができる。
【００２７】
また、座部６の回転速度は、コントローラー操作部１２への入力により、１２０°／５秒〜１２０°／２０秒の範囲で任意に設定することができる。１２０°／５秒〜１２０°／２０秒の回転速度で座部６が周期的に回転することで、着座中に体のバランスが崩れ、当該バランスを保つために筋力を発揮することで、結果として筋力が向上する。
【００２８】
なお、１２０°／５秒〜１２０°／２０秒の回転速度における座部６の動きは、ゆっくりした筋力の発揮を導くように設定されている。当該筋力の発揮は、太極拳などに見られる健康法としての体操と同じく、ゆっくりした動きの中で体のバランスをとる体本来の性質を利用したものであり、椅子に着座したまま、無理なく効果的に筋肉を鍛えることができる。
【００２９】
また、背もたれ取付部４の場合と同様に、ボックス１６中に収納されているモーターを駆動させる時間を変化させることにより、座部６の傾斜及び回転の駆動周期を適宜設定することができる。
【００３０】
≪肘掛部の開閉≫
ボックス１６中に収納されているモーター及びギア等により、肘掛部１０は周期的に外側及び内側に開閉することができる。ここで、肘掛部１０の外側及び内側の開閉角度は正面から左右に４５°の範囲で設定することができ、腕、肩、及び胸等の筋肉を効果的に鍛えることができる。
【００３１】
また、肘掛部１０の開閉速度は、コントローラー操作部１２への入力により、４５°／５秒〜４５°／２０秒の範囲で任意に設定することができる。４５°／５秒〜４５°／２０秒の開閉速度で肘掛部１０が周期的に開閉することで、着座中における腕の位置が変化し、当該変化に抵抗するように筋力が発揮されることで、結果として筋力が向上する。
【００３２】
なお、４５°／５秒〜４５°／２０秒の開閉速度における肘掛部１０の動きは、ゆっくりした筋力の発揮を導くように設定されている。肘掛部１０の開閉に抗して腕に力を入れることにより、腕、胸、及び肩の筋肉を無理なく効果的に鍛えることができる。
【００３３】
また、背もたれ取付部４の場合と同様に、ボックス１６中に収納されているモーターを駆動させる時間を変化させることにより、肘掛部１０の開閉の駆動周期を適宜設定することができる。
【００３４】
固定台座８には脚７が一体に連結されており、背もたれ取付部４、座部６、及び肘掛部１０が駆動している間も、安定してエクササイズ椅子１を支持することができる。なお、本発明の効果を損なわない限り、脚７の本数及び形状等は特に限定されない。
【００３５】
以上、本発明の代表的な実施形態について説明したが、本発明はこれらのみに限定されるものではなく、種々の設計変更が可能であり、それら設計変更は全て本発明の技術的範囲に含まれる。
【００３６】
例えば、背もたれ取付部４、座部６、及び肘掛部１０のそれぞれの動きをそれぞれ別個のモーターで駆動させることもでき、モーター、シーケンサー、及びギア等を組み合わせることによって、複数の動きをそれ未満の数のモーターで背もたれ取付部４、座部６、及び肘掛部１０を全て駆動させることも可能である。
【符号の説明】
【００３７】
１・・・エクササイズ椅子
２・・・背もたれ部
４・・・背もたれ取付部
６・・・座部
８・・・固定台座
１０・・・肘掛部
１２・・・コントローラー操作部
１４・・・脚
１６・・・ボックス
【図１】
2014117422.tif 000003
【図２】
2014117422.tif 000004
【図３】
2014117422.tif 000005
【手続補正書】
【提出日】平成25年4月4日(2013.4.4)
【手続補正１】
【補正対象書類名】特許請求の範囲
【補正対象項目名】全文
【補正方法】変更
【補正の内容】
【特許請求の範囲】
【請求項１】
電気式コントローラーと、モーターと、背もたれ部と、座部と、肘掛部と、を有するエクササイズ椅子であって、
前記電気式コントローラーからの入力に伴った前記モーターの駆動により、
前記背もたれ部が所定の駆動周期で前後に傾斜し、
前記座部が所定の駆動周期で左右に傾斜、又は、回転し、
前記肘掛部が所定の駆動周期で外側及び内側に開閉し、
前記背もたれ部の傾斜又は前記座部の傾斜若しくは回転により、着座中に体のバランスを崩させ、当該バランスを保つように筋力を発揮させること、又は、前記肘掛部の開閉により、着座中における腕の位置を変化させ、当該変化に抵抗するように筋力を発揮させることによって、筋力を向上させることができること、
を特徴とする高齢者・女性用エクササイズ椅子。
【請求項２】
前記電気式コントローラーからの入力により、
前記背もたれ部、前記座部、及び前記肘掛部の駆動速度及び／又は駆動周期を制御可能であること、
を特徴とする請求項１に記載の高齢者・女性用エクササイズ椅子。
【請求項３】
前記背もたれ部が４５°／１０秒〜４５°／１分の速度で前後に傾斜し、
前記座部が１０°／５秒〜２０°／２０秒の速度で左右に傾斜、又は、１２０°／５秒〜１２０°／２０秒の速度で回転し、
前記肘掛部が４５°／５秒〜４５°／２０秒の速度で外側及び内側に開閉すること、
を特徴とする請求項１又は２に記載の高齢者・女性用エクササイズ椅子。
【手続補正２】
【補正対象書類名】明細書
【補正対象項目名】全文
【補正方法】変更
【補正の内容】
【発明の詳細な説明】
【技術分野】
【０００１】
本発明は椅子に関し、より具体的には、例えば、比較的筋力が弱い高齢者及び女性等の筋力を、無理なく鍛えることができるエクササイズ椅子に関する。
【背景技術】
【０００２】
近年の健康志向の高まりから、種々の筋力トレーニング器具が提案されているが、そのほとんどが体に高負荷を与えるものである。ここで、高齢者や女性など比較的筋力の弱い人に関しては、筋肉に高い負荷をかけたトレーニングが必要となるケースはあまりなく、比較的低い負荷によるトレーニングで十分である。また、日常的にトレーニングをすることが望ましいため、家庭や介護施設等で、安全かつ簡単に使用できる筋力トレーニング器具が求められている。
【０００３】
特許文献１（特開平１１−１１３６６４号公報）では、通常の椅子として使用しながら筋力トレーニングを行うことを目的とし、腰の捻転運動を可能とするため、座部と独立して回転するアームレスト部を連設した椅子が提案されている。
【０００４】
また、特許文献２（特開２００５−３３４６０２号公報）では、高齢者やリハビリ訓練者等が家庭や施設で筋力トレーニングを行うこと目的とし、上肢、下肢、及び体幹の筋力トレーニングを行うため、椅子にゴムチューブ、ゴムバンドを取り付けた筋力トレーニング椅子が開示されている。
【０００５】
更に、特許文献３（特開２００１−３２７６２６号公報）では、臀部から腰に連結する筋肉の強化を図ることを目的とした腰痛防止用の保健器具として、また、バランス感覚や反射神経を鍛練する運動器具として、座部を上下に波打揺動させる手段と、座部を左右に往復回転させる手段とからなる電動椅子が提案されている。
【先行技術文献】
【特許文献】
【０００６】
【特許文献１】特開平１１−１１３６６４号公報
【特許文献２】特開２００５−３３４６０２号公報
【特許文献３】特開２００１−３２７６２６号公報
【発明の概要】
【発明が解決しようとする課題】
【０００７】
しかし、特許文献１〜３に開示されているトレーニング器具を用いた場合でも、高齢者や女性等にとっては付加が大きすぎる場合がある。加えて、日常的にトレーニングを行うためには、無意識にトレーニングが完遂できることが望ましい。
【０００８】
以上のような従来技術における問題点に鑑み、本発明の目的は、例えば、比較的筋力が弱い高齢者及び女性等の筋力を、無理なく鍛えることができるエクササイズ椅子を提供することにある。
【課題を解決するための手段】
【０００９】
本発明者は上記目的を達成すべく、着座姿勢の変化に伴う筋肉への負荷について鋭意研究を重ねた結果、高齢者や女性等の筋力を無理なく向上させるためには、椅子の背もたれ部等をゆっくりと所定の駆動周期で傾斜等させることが極めて有効であることを見出し、本発明に到達した。
【００１０】
即ち、本発明は、電気式コントローラーと、モーターと、背もたれ部と、座部と、肘掛部と、を有するエクササイズ椅子であって、
前記電気式コントローラーからの入力に伴った前記モーターの駆動により、
前記背もたれ部が所定の駆動周期で前後に傾斜し、
前記座部が所定の駆動周期で左右に傾斜、又は、回転し、
前記肘掛部が所定の駆動周期で外側及び内側に開閉し、
前記背もたれ部の傾斜又は前記座部の傾斜若しくは回転により、着座中に体のバランスを崩させ、当該バランスを保つように筋力を発揮させること、又は、前記肘掛部の開閉により、着座中における腕の位置を変化させ、当該変化に抵抗するように筋力を発揮させることによって、筋力を向上させることができること、
を特徴とする高齢者・女性用エクササイズ椅子（以下、単に「エクササイズ椅子」ともいう。）を提供する。
【００１１】
本発明の高齢者・女性用エクササイズ椅子においては、前記電気式コントローラーからの入力により、前記背もたれ部、前記座部、及び前記肘掛部の駆動速度及び／又は駆動周期を制御可能であることが好ましい。
【００１２】
また、前記背もたれ部が４５°／１０秒〜４５°／１分の速度で前後に傾斜し、
前記座部が１０°／５秒〜２０°／２０秒の速度で左右に傾斜、又は、１２０°／５秒〜１２０°／２０秒の速度で回転し、
前記肘掛部が４５°／５秒〜４５°／２０秒の速度で外側及び内側に開閉することが好ましい。
【発明の効果】
【００１３】
本発明によれば、例えば、比較的筋力が弱い高齢者及び女性等の筋力を、ゆったり椅子に座っている状態で何も操作することなく、無理なく鍛えることができるエクササイズ椅子を提供することができる。
【図面の簡単な説明】
【００１４】
【図１】本発明のエクササイズ椅子の一実施形態の概略斜視図である。
【図２】本発明のエクササイズ椅子の一実施形態の概略側面図である。
【図３】本発明のエクササイズ椅子の駆動周期に関する概念図である。
【発明を実施するための形態】
【００１５】
以下、図面を参照しながら本発明のエクササイズ椅子の代表的な実施形態について詳細に説明するが、本発明はこれらのみに限定されるものではない。なお、以下の説明では、同一または相当部分には同一符号を付し、重複する説明は省略する場合がある。また、図面は、本発明を概念的に説明するためのものであるから、表された各構成要素の寸法やそれらの比は実際のものとは異なる場合もある。
【００１６】
図１は本発明のエクササイズ椅子の一実施形態の概略斜視図である。また、図２は本発明のエクササイズ椅子の一実施形態の概略側面図である。エクササイズ椅子１は、背もたれ部２、背もたれ取付部４（例えば、シャフト状の背もたれ取付部）、座部６、固定台座８、肘掛部１０、コントローラー操作部１２、脚１４、及びボックス１６を有している。
【００１７】
背もたれ部２は背もたれ取付部４と一体に連結されており、背もたれ取付部４は固定台座８と一体に連結されている。また、座部６は背もたれ取付部４と一体に連結されており、肘掛部１０は固定台座８の側面に一体に連結されている。
【００１８】
背もたれ取付部４、座部６、及び肘掛部１０を駆動させるための制御系は、コントローラー操作部１２とコントローラー本体から構成される。コントローラー操作部１２は肘掛部１０の先端に担持され、コントローラー本体はボックス１６中に収納されている。また、ボックス１６には、モーター及びギア等の、エクササイズ椅子１の各部位を駆動させるための機器も収納されている。
【００１９】
≪背もたれ部の傾斜≫
ボックス１６中に収納されているモーター及びギア等により、背もたれ取付部４は前後に所定の駆動周期で駆動することができる。ここで、背もたれ取付部４の前後可動角度は前方２０°〜後方４５°の範囲で設定することができ、腹筋、腹直筋、及び外腹斜筋等の腹部周囲の筋肉、及び体幹を効果的に鍛えることができる。
【００２０】
また、背もたれ取付部４の可動速度は、コントローラー操作部１２への入力により、４５°／１０秒〜４５°／１分の範囲で任意に設定することができる。４５°／１０秒〜４５°／１分の可動速度で背もたれ取付部４が所定の駆動周期で前後に傾斜することで、着座中に体のバランスが崩れ、当該バランスを保つために筋力を発揮することで、結果として筋力が向上する。
【００２１】
なお、４５°／１０秒〜４５°／１分の可動速度における背もたれ取付部４の動きは、ゆっくりした筋力の発揮を導くように設定されている。当該筋力の発揮は、太極拳などに見られる健康法としての体操と同じく、ゆっくりした動きの中で体のバランスをとる体本来の性質を利用したものであり、椅子に着座したまま、無理なく効果的に筋肉を鍛えることができる。
【００２２】
図３は本発明のエクササイズ椅子の駆動周期に関する概念図である。ボックス１６中に収納されているモーターを駆動させる時間を変化させることにより、背もたれ取付部４の駆動周期を適宜設定することができる。なお、図３においては、信号１が入力されている間はモーターが駆動し、信号０が入力されている間はモーターが停止することになる。つまり、（ａ）、（ｂ）、（ｃ）の順番で、背もたれ取付部４の駆動周期が短くなる。また、モーターが駆動している間でも、当該モーターの回転速度を可変することができる。
【００２３】
≪座部の傾斜及び回転≫
ボックス１６中に収納されているモーター及びギア等により、座部６は左右に所定の駆動周期で傾斜することができる。ここで、座部６の左右の傾斜角度は１°〜２０°の範囲で設定することができ、腹筋、腹直筋、及び外腹斜筋等の腹部周囲の筋肉、及び体幹を効果的に鍛えることができる。
【００２４】
また、座部６の傾斜速度は、コントローラー操作部１２への入力により、１０°／５秒〜２０°／２０秒の範囲で任意に設定することができる。１０°／５秒〜２０°／２０秒の傾斜速度で座部６が所定の駆動周期で前後に傾斜することで、着座中に体のバランスが崩れ、当該バランスを保つために筋力を発揮することで、結果として筋力が向上する。
【００２５】
なお、１０°／５秒〜２０°／２０秒の傾斜速度における座部６の動きは、ゆっくりした筋力の発揮を導くように設定されている。当該筋力の発揮は、太極拳などに見られる健康法としての体操と同じく、ゆっくりした動きの中で体のバランスをとる体本来の性質を利用したものであり、椅子に着座したまま、無理なく効果的に筋肉を鍛えることができる。
【００２６】
加えて、ボックス１６中に収納されているモーター及びギア等により、座部６は回転することができる。ここで、座部６の回転角度は正面から左右に６０°の範囲で設定することができ、腹筋、腹直筋、及び外腹斜筋等の腹部周囲の筋肉、及び体幹を効果的に鍛えることができる。
【００２７】
また、座部６の回転速度は、コントローラー操作部１２への入力により、１２０°／５秒〜１２０°／２０秒の範囲で任意に設定することができる。１２０°／５秒〜１２０°／２０秒の回転速度で座部６が所定の駆動周期で回転することで、着座中に体のバランスが崩れ、当該バランスを保つために筋力を発揮することで、結果として筋力が向上する。
【００２８】
なお、１２０°／５秒〜１２０°／２０秒の回転速度における座部６の動きは、ゆっくりした筋力の発揮を導くように設定されている。当該筋力の発揮は、太極拳などに見られる健康法としての体操と同じく、ゆっくりした動きの中で体のバランスをとる体本来の性質を利用したものであり、椅子に着座したまま、無理なく効果的に筋肉を鍛えることができる。
【００２９】
また、背もたれ取付部４の場合と同様に、ボックス１６中に収納されているモーターを駆動させる時間を変化させることにより、座部６の傾斜及び回転の駆動周期を適宜設定することができる。
【００３０】
≪肘掛部の開閉≫
ボックス１６中に収納されているモーター及びギア等により、肘掛部１０は所定の駆動周期で外側及び内側に開閉することができる。ここで、肘掛部１０の外側及び内側の開閉角度は正面から左右に４５°の範囲で設定することができ、腕、肩、及び胸等の筋肉を効果的に鍛えることができる。
【００３１】
また、肘掛部１０の開閉速度は、コントローラー操作部１２への入力により、４５°／５秒〜４５°／２０秒の範囲で任意に設定することができる。４５°／５秒〜４５°／２０秒の開閉速度で肘掛部１０が所定の駆動周期で開閉することで、着座中における腕の位置が変化し、当該変化に抵抗するように筋力が発揮されることで、結果として筋力が向上する。
【００３２】
なお、４５°／５秒〜４５°／２０秒の開閉速度における肘掛部１０の動きは、ゆっくりした筋力の発揮を導くように設定されている。肘掛部１０の開閉に抗して腕に力を入れることにより、腕、胸、及び肩の筋肉を無理なく効果的に鍛えることができる。
【００３３】
また、背もたれ取付部４の場合と同様に、ボックス１６中に収納されているモーターを駆動させる時間を変化させることにより、肘掛部１０の開閉の駆動周期を適宜設定することができる。
【００３４】
固定台座８には脚７が一体に連結されており、背もたれ取付部４、座部６、及び肘掛部１０が駆動している間も、安定してエクササイズ椅子１を支持することができる。なお、本発明の効果を損なわない限り、脚７の本数及び形状等は特に限定されない。
【００３５】
以上、本発明の代表的な実施形態について説明したが、本発明はこれらのみに限定されるものではなく、種々の設計変更が可能であり、それら設計変更は全て本発明の技術的範囲に含まれる。
【００３６】
例えば、背もたれ取付部４、座部６、及び肘掛部１０のそれぞれの動きをそれぞれ別個のモーターで駆動させることもでき、モーター、シーケンサー、及びギア等を組み合わせることによって、複数の動きをそれ未満の数のモーターで背もたれ取付部４、座部６、及び肘掛部１０を全て駆動させることも可能である。
【符号の説明】
【００３７】
１・・・エクササイズ椅子
２・・・背もたれ部
４・・・背もたれ取付部
６・・・座部
８・・・固定台座
１０・・・肘掛部
１２・・・コントローラー操作部
１４・・・脚
１６・・・ボックス
【手続補正書】
【提出日】平成25年4月26日(2013.4.26)
【手続補正１】
【補正対象書類名】特許請求の範囲
【補正対象項目名】全文
【補正方法】変更
【補正の内容】
【特許請求の範囲】
【請求項１】
電気式コントローラーと、モーターと、背もたれ部と、座部と、肘掛部と、を有するエクササイズ椅子であって、
前記電気式コントローラーからの入力に伴った前記モーターの駆動により、
前記背もたれ部が所定の駆動周期で前後に傾斜し、
前記座部が所定の駆動周期で左右に傾斜、又は、回転し、
前記肘掛部が所定の駆動周期で外側及び内側に開閉し、
前記背もたれ部の傾斜又は前記座部の傾斜若しくは回転により、着座中に体のバランスを崩させ、当該バランスを保つように筋力を発揮させること、又は、前記肘掛部の開閉により、着座中における腕の位置を変化させ、当該変化に抵抗するように筋力を発揮させることによって、筋力を向上させることができ、
前記背もたれ部が４５°／１０秒〜４５°／１分の速度で前後に傾斜し、
前記座部が１０°／５秒〜２０°／２０秒の速度で左右に傾斜、又は、１２０°／５秒〜１２０°／２０秒の速度で回転し、
前記肘掛部が４５°／５秒〜４５°／２０秒の速度で外側及び内側に開閉すること、
を特徴とする高齢者・女性用エクササイズ椅子。
【請求項２】
前記電気式コントローラーからの入力により、
前記背もたれ部、前記座部、及び前記肘掛部の駆動速度及び／又は駆動周期を制御可能であること、
を特徴とする請求項１に記載の高齢者・女性用エクササイズ椅子。
【手続補正２】
【補正対象書類名】明細書
【補正対象項目名】００１０
【補正方法】変更
【補正の内容】
【００１０】
即ち、本発明は、電気式コントローラーと、モーターと、背もたれ部と、座部と、肘掛部と、を有するエクササイズ椅子であって、
前記電気式コントローラーからの入力に伴った前記モーターの駆動により、
前記背もたれ部が所定の駆動周期で前後に傾斜し、
前記座部が所定の駆動周期で左右に傾斜、又は、回転し、
前記肘掛部が所定の駆動周期で外側及び内側に開閉し、
前記背もたれ部の傾斜又は前記座部の傾斜若しくは回転により、着座中に体のバランスを崩させ、当該バランスを保つように筋力を発揮させること、又は、前記肘掛部の開閉により、着座中における腕の位置を変化させ、当該変化に抵抗するように筋力を発揮させることによって、筋力を向上させることができ、
前記背もたれ部が４５°／１０秒〜４５°／１分の速度で前後に傾斜し、
前記座部が１０°／５秒〜２０°／２０秒の速度で左右に傾斜、又は、１２０°／５秒〜１２０°／２０秒の速度で回転し、
前記肘掛部が４５°／５秒〜４５°／２０秒の速度で外側及び内側に開閉すること、
を特徴とする高齢者・女性用エクササイズ椅子（以下、単に「エクササイズ椅子」ともいう。）を提供する。
【手続補正３】
【補正対象書類名】明細書
【補正対象項目名】００１２
【補正方法】削除
【補正の内容】